(57)【要約】【課題】低水圧、低流量でも吐水される領域径が大きく、さらに吐水の集中感と量感があるシャワー装置を提供するものである。【解決手段】複数の散水孔を有するシャワーユニットを連結管に接続するシャワー装置において、前記シャワーユニットを構成する散水板には、湾曲隆起させた散水部を複数有し、この散水部に複数の散水孔を配置したことを特徴とするシャワー装置とした。また、前記散水部は、散水板内に同心円上に配置されていることを特徴とするシャワー装置とした。【選択図】　図１
2004121743.tif 000002
【特許請求の範囲】
【請求項１】
複数の散水孔を有するシャワーユニットを連結管に接続するシャワー装置において、前記シャワーユニットを構成する散水板には、湾曲隆起させた散水部を複数有し、この散水部に複数の散水孔を配置したことを特徴とするシャワー装置。
【請求項２】
前記散水部は、散水板内に同心円上に配置されていることを特徴とする請求項１に記載のシャワー装置。
【請求項３】
前記散水部は、散水板内に直線上に配置されていることを特徴とする請求項１に記載のシャワー装置。
【発明の詳細な説明】
【０００１】
【発明の属する技術分野】
本発明は、浴室やシャワールームなどのシャワー装置に関する。
【０００２】
【従来の技術】
従来、浴室やシャワールームなどに設置される固定式のシャワー装置として、壁面から突設された連結管に複数の散水孔を形成したシャワーユニットを取付けて、頭上からシャワー吐水を行うようにしたものがある。
たとえば、図６および図７に従来のシャワー装置を示す。
この場合、壁面から突設された連結管の端部にボール型の継手を接続し、このボール型の継手に袋ナットを用いてシャワーユニットを接続していた。このシャワーユニットは、全面に散水孔が配置された散水板を有している。（たとえば、非特許文献１を参照のこと）
【０００３】
【非特許文献１】
ＴＯＴＯ　総合カタログ、２００２−２００３、Ｐ７０３
【０００４】
【発明が解決しようとする課題】
しかしながら、上述の従来のシャワー装置においては、シャワーユニットの散水板全面に散水孔を配置しているため、散水孔同士の距離が長く、吐水が疎になり、シャワー吐水の集中感及び量感を損ねてしまう。
【０００５】
これを防ぐため、散水板全面に散水孔同士の距離を短くして配置したものがある。しかしながら、この場合、散水孔の数が増え、シャワーを通水する全散水孔の孔面積の合計が大きくなるため、吐水の勢いがなくなってしまうという問題が生じてしまう。また、勢いよく吐水させるためには、高い給水圧を必要とし、使用する水量も多くなる。
さらに、小径の散水板で散水孔同士の距離を短くし、散水孔の数を少なくして吐水の集中感を高めたものもあるが、この場合、シャワーの吐水される範囲が小さくなり、吐水が体に当たる面積が少なくなるため、洗体時の石鹸等が洗い流しづらくなってしまうとともに気温の低い時期では、体が寒く感じてしまうという問題があった。
【０００６】
そこで、本発明では上記の問題点を解決するため、低水圧、低流量でも吐水径が大きく、吐水の集中感と量感があるシャワー装置を提供するものである。
【０００７】
【課題を解決するための手段】
第１の発明では、複数の散水孔を有するシャワーユニットを連結管に接続するシャワー装置において、前記シャワーユニットを構成する散水板には、湾曲隆起させた散水部を複数有し、この散水部に複数の散水孔を配置したことを特徴とするシャワー装置とした。
【０００８】
本発明によれば、散水板の湾曲隆起した散水部のみに散水孔を配置しているため、散水板全面に散水孔を配置した場合に比べ、散水孔の数を低減させることができる。つまり、散水孔の数を低減させることで、形成された通水孔の全通水面積を少なくすることができるため、低水圧時でも勢いのあるシャワー吐水が得られる。
また、それぞれの散水部は湾曲隆起しているため、シャワー吐水に広がりがあり、少ない孔数でも散水板全体としては、径の大きなシャワー吐水を得ることができる。
【０００９】
第２の発明では、前記散水部は、散水板内に同心円上に配置されていることを特徴とする請求項１に記載のシャワー装置とした。
【００１０】
本発明によれば、散水板全面に散水孔を配置した場合に比べ、散水孔の数を低減させることができる。つまり、散水孔の数を低減させることで、形成された通水孔の全通水面積を少なくすることができるため、低水圧時でも勢いのあるシャワー吐水が得られる。
また、それぞれの散水部は湾曲隆起しているため、シャワー吐水に広がりがあり、少ない孔数でも散水板全体としては、径の大きなシャワー吐水を得ることができる。
特に、散水部を同心円上に配置しているため、それぞれの散水部からのシャワー吐水同士が中心部で重なり合い、この中心部分の量感が高いシャワー吐水が可能となる。
【００１１】
第３の発明では、前記散水部は、散水板内に直線上に配置されていることを特徴とする請求項１に記載のシャワー装置とした。
【００１２】
本発明によれば、散水板全面に散水孔を配置した場合に比べ、散水孔の数を低減させることができる。つまり、散水孔の数を低減させることで、形成された通水孔の全通水面積を少なくすることができるため、低水圧時でも勢いのあるシャワー吐水が得られる。
また、それぞれの散水部は湾曲隆起しているため、シャワー吐水に広がりがあり、少ない孔数でも散水板全体としては、散水範囲の広いシャワー吐水を得ることができる。
特に、この散水板を有するシャワーユニットは、直線状に長いシャワー吐水領域を得ることができるため、連結管に対し、横向きや縦向き等取付方向を変えることによって、シャワー吐水の領域を変えることが可能である。
【００１３】
【発明の実施の形態】
以下に図面を参照して本発明をより具体的に説明する。
本発明のシャワー装置Ａは、複数の湾曲隆起した散水部を持つ散水板８を有するシャワーユニットＢを連結管１とユニット本体３の間にボール型の継手７を介して袋ナット２で接続されている。
そして、この散水部には、複数の散水孔８ａが配置され、ここからシャワー吐水がなされる。
なお、本発明のシャワー装置は、浴室の洗い場の他、シャワールームや公衆浴場等にも設置可能である。
また、先端のシャワーユニットを入れ替えて好みに応じたバリエーションの展開も図ることができる。
【００１４】
図１のシャワー装置においては、曲げ加工を施した銅管等の材質で作られた連結管１に、シャワーユニットＢを形成するユニット本体３がボール型の継手７を介して袋ナット２にて接続されており、これを浴室やシャワールームの壁面に取り付けるようになっている。
【００１５】
シャワーユニットＢは、ユニット本体３と散水板８と網１０と化粧板５、１１、化粧縁１２とから主に構成されている。
連結管１からの通水は、ボール型の継手７を介して、シャワーユニットＢに供給される。
このシャワーユニットＢには、ユニット本体３の袋ナット２を螺合する螺合部３ａ内に通水路を形成して、この通水路から通水の供給を受ける。さらに、このユニット本体３と散水板８とを重ね合わせることで、散水孔８ａまでの通水路を形成している。
これら２部品は、重ね合わせた時に、内部の空間ができるだけ小さくなるような形状をしており、通水時の水容量が小さく残水も少ないため、シャワーを止水した時の水切れ性がよい。
また、内部の空間ができるだけ小さくなるような形状をしており、通水時の水容量で十分内部の空間に水が満たされるため、各散水部の散水孔からのほぼ同じ吐水量の散水がバランスよく得られることができる。なお、特にシャワーユニットＢ内に流れてきた湯水が散水部８ｂへ効率的に分散するように、散水部８ｂへの分岐路の散水板８側に上流側に向けて隆起させ先端をなだらかな湾曲形状とした分岐部８ｃを形成させた。
【００１６】
図３に示すように、散水板８には、複数の表面を湾曲隆起させた散水部８ｂを形成しており、これらの散水部８ｂに散水孔８ａを配置している。このように、散水孔８ａを有する散水部８ｂの表面を各湾曲隆起させたことにより広がりのあるシャワー吐水がなされる。
また、散水部８ｂを散水板８に複数設け、さらに、湾曲隆起させた散水部８ｂの表面に散水孔８ａを形成することで、散水板８の全体に散水孔８ａを配置しなくとも、シャワー吐水される吐水領域を確保することができる。
そのため、散水孔８ａの数を低減させることができ、形成された通水孔８ａの全通水面積を少なくすることができるため、低水圧時でも勢いのあるシャワー吐水が得られる。
ここで、同数の散水孔８ａを散水板８全体に配置した場合は、各穴同士の距離が長くなるため、吐水が疎になり、シャワーの集中感を損ねてしまう。
【００１７】
また、連結管１とユニット本体３の間には、ボール型の継手７を介して袋ナット２で接続している。
これにより、連結管１に対して、シャワーユニットＢ（ユニット本体３）を任意の角度に調整可能なため、使用者の好みに応じて吐水角度を設定することができる。
ユニット本体３は、連結管１よりも大きな径で薄型の形状をしているため、使用時に頭上から大きな径の領域にシャワー吐水が可能である。
これにより、頭および洗体時の石鹸やシャンプー等を一気に洗い流すことができ、爽快であるとともに、シャワー吐水が身体の大部分を覆うため、気温の低い時期でも暖かく浴びることができる。
また、吐水角度の調整をする際には、形状的に手で握り易く、操作性もよい。
【００１８】
湾曲隆起させた球面状の散水部８ｂ内には、エラストマー等の軟質部材で作られたパッキン９を球面形状に沿って装着している。これにより、放射状のシャワー吐水を得るために散水板８の穴加工を放射状にする必要がないため、製造費用を安くすることができる。
【００１９】
ここでは、パッキン９の裏面側に、散水孔８ａを覆うように網１０を装着している。これにより、シャワーを止水した時、表面張力によって網１０に水膜ができるため、内部の水の流出が押さえられ水切れ性を向上させることができる。
また、散水板８表面からパッキン９を適度に突出させることにより、意匠上の変化を持たせるとともに、散水孔８ａに目詰まり等が生じても指で触ってそれを解消させ易くすることができる。
散水板８の表面側には、その湾曲隆起させた球面状の散水部８ｂが貫通するようにほぼ同径の穴加工が施された化粧板１１を装着し、これを挟むように化粧縁１２を本体にねじ込み固定する。
これら化粧板１１と化粧縁１２は、ともに同じめっき加工をすれば、統一感のある意匠となるが、表面の仕上げを変えることにより、意匠のバリエーション展開を図ることも可能である。
【００２０】
なお、ユニット本体３の裏面部は、不要な材料を除いた肉盗み形状をしているが、これを隠すため、化粧板５を貼り付けている。
さらに、この化粧板５と袋ナット２のすき間に発泡パッキン６等のシール材を取り付ければ、ユニット本体３裏面部への水の浸入を防止できるため、衛生的で清掃性もよい。
【００２１】
次に図２においては、散水板８には、同心円上に３つの表面を湾曲隆起させた散水部８ｂを形成している。３つの散水部８ｂの散水孔８ａから散水される各シャワー吐水は、散水板８から放射状に吐水された直後に中心部分で一部が重なり合うため、全体としては、大きな吐水径でありながら、特に中心部分が量感のあるシャワー吐水となり、シャワーを浴びた時の感触がよい。
なお、図５にシャワー吐水の吐水状態を示す。
このように、湾曲隆起させた散水部８ｂ間にそれぞれの散水孔８ａから放射状にシャワー吐水がされるため、散水部８ｂの中心部分では、シャワー吐水が重なり合い、量感のあるシャワー吐水を得ることができるのである。
次に図３は、さらに、散水板８の中心に湾曲隆起させた散水部８ｂを設け、さらにその周辺に湾曲隆起させた散水部８ｂを点在させた場合を示す。この場合においても散水部８ｂ間のシャワー吐水に量感を得ることができる。
【００２２】
次に図４においては、散水板８には、直線上に３つの表面を湾曲隆起させた散水部８ｂを形成している。３つの散水部８ｂの散水孔８ａから散水される各シャワー吐水は、散水板８から放射状に吐水された直後に一部が重なり合いながら、全体としては、直線状に長いシャワー吐水領域となる。
ここで、使用者の好みに応じて、シャワーユニットを縦向きや横向き等取付方向を変えることによって、体に対して縦長や横長等の異なるシャワー吐水領域を得ることができる。
これにより、同じシャワーユニットでありながら、シャワー吐水のバリエーションを変えることが可能となる。
【００２３】
【発明の効果】
以上により、低水圧、低流量でも吐水径が大きく、吐水の集中感と量感があるシャワー装置を提供することができる。
【図面の簡単な説明】
【図１】本件発明の一実施の形態であるシャワー装置の断面図を示す。
【図２】図１のシャワー装置における散水板部の正面図を示す。
【図３】本発明における別の一実施例であるシャワー装置の正面図を示す。
【図４】本発明における別の一実施例であるシャワー装置の正面図を示す。
【図５】本発明のシャワー装置の吐水状態を示す。
【図６】従来のシャワー装置の構造を示す図である。
【図７】従来のシャワー装置の正面図を示す。
【符号の説明】
Ａ：シャワー装置
Ｂ：シャワーユニット
１：連結管
２：袋ナット
２ａ：螺合部
３：ユニット本体
３ａ：螺合部
４：パッキン
５：化粧板
６：発泡パッキン
７：ボール型の継手
８：散水板
８ａ：散水孔
８ｂ：散水部
８ｃ：分岐部
９：パッキン
１０：網
１１：化粧板
１２：化粧縁
１３：逆止弁
１４：シャワー吐水
【図１】
2004121743.tif 000003
【図２】
2004121743.tif 000004
【図３】
2004121743.tif 000005
【図４】
2004121743.tif 000006
【図５】
2004121743.tif 000007
【図６】
2004121743.tif 000008
【図７】
2004121743.tif 000009